【事件の表示】
　特許第２９８６２６６号「ガス遮断器用再閉路準備回路」の請求項１に係る特許に対する特許異議の申立てについて、次のとおり決定する。
【結　論】
　訂正を認める。
　特許第２９８６２６６号の請求項１に係る特許を取り消す。
【理　由】
１．手続の経緯
　特許第２９８６２６６号の請求項１に係る発明は、平成３年１１月５日に特許出願（特願平３−２８８５３７号）され、平成１１年１０月１日に設定登録され、その後、申立人日新電機株式会社より請求項１に係る発明について特許異議の申立がなされ、取消理由通知がなされ、その指定期間内である平成１２年１１月１３日に訂正請求がなされ、再度の取消理由通知がなされ、その指定期間内である平成１３年２月２３日に特許異議意見書が提出されたものである。
　
２．訂正の適否についての判断
ア．訂正の内容
　特許権者が求めている訂正の内容は、以下の（１）ないし（４）のとおりである。
　
（１）特許請求の範囲の請求項１の「このマイクロスイッチの接点を、前記再閉路準備回路」を「このマイクロスイッチの接点を、指令側の前記再閉路準備回路」に訂正する。
　
（２）明細書の発明の詳細な説明の欄の【０００８】中の「マイクロスイッチの接点を、前記再閉路準備回路」を「マイクロスイッチの接点を、指令側の前記再閉路準備回路」に訂正する。
　
（３）明細書の発明の詳細な説明の欄の【００２３】中の「再閉路準備用接点として使用する」を、「指令側の再閉路準備回路の再閉路準備用接点として使用する」に訂正する。
　
（４）明細書の発明の詳細な説明の欄の【００２３】中の「再閉路動作の信頼性向上」を、「指令側で再閉路準備が完了しているか否かを知ることができるため、再閉路動作の信頼性向上」に訂正する。
　
イ．訂正の目的の適否、新規事項の有無及び拡張・変更の存否
　（１）の訂正事項は、特許請求の範囲の減縮を目的とするものであり、当該訂正内容は特許明細書に記載されたもので、新規事項の追加に該当しない。
　（２）、（３）及び（４）の訂正事項は、特許請求の範囲の記載と発明の詳細な説明の記載との整合をとるためものであり、明りょうでない記載の釈明に相当するもので、新規事項の追加に該当しない。
　そして、上記（１）ないし（４）のいずれの訂正も実質上特許請求の範囲を拡張又は変更するものでもない。
　
ウ．むすび
　以上のとおりであるから、上記訂正は、特許法第１２０条の４第２項及び同条第３項で準用する同法第１２６条第２項及び第３項の規定に適合するので、当該訂正を認める。
　
３．特許異議の申立てについての判断
ア．申立ての理由の概要
　申立人日新電機株式会社は、請求項１に係る発明は甲第１号証（特開昭５７−１３５６１６号公報）、甲第２号証（特開昭５８−１９０２２１号公報）、甲第３号証（「日新電機技報　第２９巻　第３号」昭和５９年９月２０日、日新電機技報編集委員会発行）、甲第４号証（「２４／３６ｋＶガス遮断器（ＦＣＴ２−２５０形、ＦＣＴ３−２５０形）取扱説明書」日新電機株式会社　第２電力事業部　品質保証部　品質保証第１課発行）および甲第５号証（実願昭５３−１４５３９０号（実開昭５５−６１９１９号）のマイクロフィルム）に記載された発明に基づいて、当業者が容易に発明をすることができたものであるから、特許法第２９条第２号の規定により特許を受けることができないものであり、特許を取り消すべきと主張している。
　
イ．本件発明
　特許第２９８６２６６号の請求項１に係る発明は、訂正後の特許請求の範囲の請求項１に記載された次のとおりのものである。
　
「【請求項１】　電動機の駆動力により、投入バネ蓄勢機構を使用して投入バネを蓄勢し、この投入バネを放勢することにより遮断器を投入すると共に、遮断バネ蓄勢機構を使用して遮断バネを蓄勢し、さらにこの遮断バネを放勢することにより遮断器を遮断する電動バネ操作機構を備えたガス遮断器の、再閉路を準備するためのガス遮断器用再閉路準備回路において、
　前記投入バネ蓄勢機構の一部に、前記投入バネの蓄勢完了を検出するマイクロスイッチを設け、このマイクロスイッチの接点を、指令側の前記再閉路準備回路の再閉路準備用接点として使用することを特徴とするガス遮断器用再閉路準備回路。」
　
ウ．引用刊行物に記載された事項
　これに対し、当審が平成１２年１２月１５日付けで通知した取消理由通知で引用した刊行物には、それぞれ、以下の事項が記載されている。
　
刊行物１：特開昭５７−１３５６１６号公報（上記甲第１号証と同じ）
刊行物２：「日新電機技報　第２９巻　第３号」昭和５９年９月２０日、日新電機技報編集委員会発行（上記甲第３号証と同じ）
　
　上記刊行物１には、遮断器の再閉路準備回路に関して、以下の事項が図面とともに記載されている。
「第２図は上述した２系列の保護継電装置のうち、１系列の遮断器引外し及び再閉路機能に着目した詳細回路である。図中、接点５ａは遮断器の補助接点であり遮断器「入」の時に閉路、「切」の時に開路する。接点６は再閉路を行う上で必要とされる遮断器の操作圧力接点であり、圧力が確立していれば閉路し、圧力が不足していれば開路する接点である。ここで保護装置が使用状態になると接点１a2が閉路し、再閉路機能が使用状態となって接点４が閉路する。そして遮断器が「入」及び上記操作圧力が確立した状態となると限時継電器７Ｔが励磁され、７Ｔにて決まる時限後に補助継電器３が動作し、その接点３ａにて自己保持回路が構成される。この状態は通常再閉路準備完了状態と呼ばれる。
　一方、例えば遮断器の操作圧力が確立していない場合には、前記した圧力接点６が開路状態である。したがってこの状態で再閉路機能を含む保護機能を使用状態としても限時継電器７Ｔは励磁されず補助継電器３による自己保持回路も形成されない。この状態は通常再閉路準備未完状態と呼ばれる。第２図中の左側の回路は従来の遮断器引外し回路を示す。図中接点１a1は前記１a2と同じく保護装置使用状態で閉路する接点、接点２ａは保護継電器による引外し指令接点であり、末尾の１、２、３、はそれぞれ３相交流の第１、２、３相に該当することを示す。３b1、３b2、３b3は前記補助継電器３の接点であり、再閉路準備完了状態では開路、準備未完状態では閉路している。」（第２頁左上欄第１４行〜左下欄第２行）
　
　上記刊行物２の第４５頁〜第４９頁には、「２４／３６ｋＶキュービクル用タンク型ガス遮断器」に関する論文であって、以下の事項が、図面とともに記載されている。
「モータの回転運動は、歯車とラチェット機構によって主軸に伝えられ、この動作により投入ばねが蓄勢されて、投入動作の準備が完了する。遮断器が遮断状態であれば、投入指令を与えることによって遮断器は投入動作を行う。この投入動作の過程に遮断ばねが蓄勢される。また、このとき、もし投入状態であれば遮断動作を行った後、再び投入と遮断の動作を行うことが可能であり、すなわち、Ｏ−ｔ−ＣＯの操作ができる機能を持っている。」（第４８頁右欄第２８行〜第３８行）
　また、第４８頁図６及び第４９頁図７には、モータの駆動力により、投入ばね１１を蓄勢し、この投入ばね１１を放勢することにより遮断器を投入するとともに、遮断ばね１２を蓄勢し、この遮断ばね１２を放勢することにより遮断器を遮断する電動ばね操作機構が示されている。
　さらに、第４９頁の図９には、投入コイル５２Ｃに対して直列に、投入バネの蓄勢完了でオン状態となるリミットスイッチＬＳａが接続されている制御回路が示されている。
　
エ．対比・判断
　請求項１に係る発明と上記刊行物１に記載された発明を比較すると、上記刊行物１に記載された発明は、遮断器の指令側の回路において、再閉路機能が準備状態になった時に動作する接点、即ち、準備状態検知用接点が、該指令側の回路に接続されているものと認められ、
　両者は、
「遮断器の、再閉路を準備するための遮断器用再閉路準備回路において、
　（準備状態検知用）接点を、指令側の前記再閉路準備回路の再閉路準備用接点として使用することを特徴とする遮断器用再閉路準備回路。」である点一致し、
　一方、
（１）「遮断器」に関し、請求項１に係る発明では「電動機の駆動力により、投入バネ蓄勢機構を使用して投入バネを蓄勢し、この投入バネを放勢することにより遮断器を投入すると共に、遮断バネ蓄勢機構を使用して遮断バネを蓄勢し、さらにこの遮断バネを放勢することにより遮断器を遮断する電動バネ操作機構を備えたガス遮断器」であるのに対し、刊行物１のものは、「操作圧力」により駆動される「遮断器」である点、及び、
（２）「（準備状態検知用）接点」に関し、請求項１に係る発明では「投入バネ蓄勢機構の一部に、前記投入バネの蓄勢完了を検出するマイクロスイッチを設け、このマイクロスイッチの接点」であるのに対し、刊行物１のものは「操作圧力」が確立した時に閉路する「圧力接点」である点で、それぞれ相違する。
　
　上記相違点について検討すると、刊行物２には、「電動機の駆動力（「モータの回転運動」が相当する。）により、投入バネ蓄勢機構を使用して投入バネを蓄勢し、この投入バネを放勢することにより遮断器を投入すると共に、遮断バネ蓄勢機構を使用して遮断バネを蓄勢し、さらにこの遮断バネを放勢することにより遮断器を遮断する電動バネ操作機構を備えたガス遮断器の、再閉路を準備する（「再び投入と遮断の動作を行うことが可能であり、すなわち、Ｏ−ｔ−ＣＯの操作ができる機能を持っている」なる記載から明らかである。）ためのガス遮断器用回路において、
　前記投入バネ蓄勢機構の一部に、前記投入バネの蓄勢完了を検出するマイクロスイッチ（「投入バネの蓄勢完了でオン状態となるリミットスイッチＬＳａ」が相当する。）を設け、このマイクロスイッチの接点を、前記回路の再閉路準備用接点として使用すること」が記載されており、
　上記相違点（１）及び（２）の請求項１に係る発明に相当する構成が開示されている。
　刊行物１、２のいずれに記載のものも、遮断器における再閉路の準備完了を検知するという課題を持つものであるから、刊行物１に記載された発明の「遮断器」及び「（準備状態検知用）接点」の構成を、刊行物２に記載された「ガス遮断器」及び「マイクロスイッチの接点」にそれぞれ置き換えて、請求項１に係る発明の構成とする程度のことは、当業者が容易に想到できたものである。
　そして、請求項１に係る発明の奏する効果が、刊行物１及び２に記載された発明が奏する効果の和以上の格別のものであるとも認められない。
　
　したがって、請求項1に係る発明は、上記刊行物１および２に記載された発明に基づき当業者が容易に発明をすることができたものである。
　
オ．むすび
　以上の通りであるから、本件請求項１に係る発明についての特許は、特許法第２９条第２項の規定に違反してされたものである。
　したがって、本件請求項１に係る発明についての特許は、特許法第１１３条第２号に該当し、取り消されるべきものである。
　
　よって、結論の通り決定する。
【異議決定日】
平成１３年３月１６日（２００１．３．１６）
【訂正の要旨】
　特許権者が求めている訂正の内容は、以下の（１）ないし（４）のとおりである。
（１）特許請求の範囲の請求項１の「このマイクロスイッチの接点を、前記再閉路準備回路」を「このマイクロスイッチの接点を、指令側の前記再閉路準備回路」に訂正する。
（２）明細書の発明の詳細な説明の欄の【０００８】中の「マイクロスイッチの接点を、前記再閉路準備回路」を「マイクロスイッチの接点を、指令側の前記再閉路準備回路」に訂正する。
（３）明細書の発明の詳細な説明の欄の【００２３】中の「再閉路準備用接点として使用する」を、「指令側の再閉路準備回路の再閉路準備用接点として使用する」に訂正する。
（４）明細書の発明の詳細な説明の欄の【００２３】中の「再閉路動作の信頼性向上」を、「指令側で再閉路準備が完了しているか否かを知ることができるため、再閉路動作の信頼性向上」に訂正する。
（５４）【発明の名称】
ガス遮断器用再閉路準備回路
（５７）【特許請求の範囲】
　【請求項１】　電動機の駆動力により、投入バネ蓄勢機構を使用して投入バネを蓄勢し、この投入バネを放勢することにより遮断器を投入すると共に、遮断バネ蓄勢機構を使用して遮断バネを蓄勢し、さらにこの遮断バネを放勢することにより遮断器を遮断する電動バネ操作機構を備えたガス遮断器の、再閉路を準備するためのガス遮断器用再閉路準備回路において、
　前記投入バネ蓄勢機構の一部に、前記投入バネの蓄勢完了を検出するマイクロスイッチを設け、このマイクロスイッチの接点を、
指令側の
【発明の詳細な説明】
　【０００１】
　【産業上の利用分野】
　本発明は、電力用ガス遮断器に係り、特に、電動バネ操作形ガス遮断器の再閉路を準備するための再閉路準備回路に関するものである。
　【０００２】
　【従来の技術】
　近年、電力需要の増大及び電力消費の都市集中の傾向は年々強まっている。そして、このような需要に対応する電力の供給においては、高い信頼性と経済性が求められ、送電系統の大容量化が進められている。その一方で、都市における変電所用地の不足による狭隘化から、変電所の縮小化が求められている。このような要求に対して、遮断器や断路器、母線などをＳＦ６ガスなどの絶縁性に優れたガスで絶縁するガス絶縁方式は、従来の気中絶縁方式に比べて装置全体を格段に縮小化できる利点を有する。そのため、最近では、このような縮小化に優れたガス絶縁方式を採用してなる密閉形ガス開閉所が広く普及するに至っている。このような密閉形ガス開閉所においては、開閉所の重要機器である遮断器の信頼性が求められると共に、機器全体における遮断器の占める割合が大きいことから、遮断器の小型化が求められている。
　【０００３】
　ところで、上記のような遮断器の操作力としては、従来、空気圧が主として用いられていた。しかしながら、近年は、機器の小型化や、都市部での騒音問題の防止などの観点から、２０４ｋＶ以下の中圧クラス以下の遮断器の操作機構として、電動バネ操作機構が使用されるようになってきている。この電動バネ操作機構は、電動機の駆動力により、投入バネ蓄勢機構を使用して投入バネを蓄勢し、この投入バネを放勢することにより遮断器を投入すると共に、遮断バネ蓄勢機構を使用して遮断バネを蓄勢し、さらにこの遮断バネを放勢することにより遮断器を遮断する機構である。
　【０００４】
　一方、最近では、中圧クラス以下の遮断器においても、電力系統の安定を目的として、事故時に遮断動作するようになってきている。このような事故時遮断動作においては、遮断動作後に迅速に投入動作を行い、この時点で事故が継続していた場合には、再度遮断動作を行う必要がある。従って、遮断器には、遮断動作後の迅速な再閉路動作責務が要求される。
　【０００５】
　そして、このような迅速な再閉路動作責務の要求に対し、空気圧操作機構においては、空気タンク内の容量が十分でない場合に、再閉路動作をさせると、最終遮断時において、空気圧が遮断ロック値以下になってしまい、最終遮断が不可能となる。空気圧操作機構の場合、空気漏れを生じる危険性があるため、通常は、圧力スイッチにより空気タンク内に必要な圧力があることを確認し、その接点を再閉路準備用接点として指令側の再閉路準備回路に接続することにより、再閉路動作の信頼性の向上を図っている。これに対して、電動バネ操作機構においては、圧力を使用していない関係から、一般的に、再閉路準備回路は設けられていない。
　【０００６】
　【発明が解決しようとする課題】
　しかしながら、最近では、系統のさらに迅速な復旧が強く要求されており、再閉路動作に何等かの支障を生じた際に、その原因が指令側と機構側のいずれにあるのかを迅速に判断することが要求されている。そのため、電動バネ操作機構においても、信頼性の高い再閉路準備回路を設けることが求められている。この場合、電動バネ操作機構においては、空気圧操作機構と異なり、圧力スイッチにより再閉路準備接点を提供することはできないため、これに代わる何等かの構成を設けなければならない。
　【０００７】
　本発明は、上記のような従来技術の課題を解決するために提案されたものであり、その目的は、再閉路動作の信頼性向上に大きく貢献可能であるような、簡略な構成のガス遮断器用再閉路準備回路を提供することである。
　【０００８】
　【課題を解決するための手段】
　本発明によるガス遮断器用再閉路準備回路は、電動機の駆動力により、投入バネ蓄勢機構を使用して投入バネを蓄勢し、この投入バネを放勢することにより遮断器を投入すると共に、遮断バネ蓄勢機構を使用して遮断バネを蓄勢し、さらにこの遮断バネを放勢することにより遮断器を遮断する電動バネ操作機構を備えたガス遮断器の、再閉路を準備するためのガス遮断器用再閉路準備回路において、前記投入バネ蓄勢機構の一部に、前記投入バネの蓄勢完了を検出するマイクロスイッチを設け、このマイクロスイッチの接点を、
指令側の
　【０００９】
　【作用】
　以上のような構成を有する本発明のガス遮断器用再閉路準備回路の作用は次の通りである。すなわち、電路が投入されていない場合に、電動バネ操作機構においては、遮断バネと投入バネの両方が蓄勢されている。また、投入バネが放勢されると、遮断器が投入すると共に、遮断バネが蓄勢されるため、一般的には、投入バネが蓄勢されていれば、再閉路動作が可能である。このような理由から、本発明の構成においては、マイクロスイッチによって投入バネの蓄勢完了を検出することにより、再閉路の準備ができたことを判断できる。
　【００１０】
　従って、マイクロスイッチの接点を再閉路準備用接点として使用することにより、確実に再閉路の準備完了を検出し、信頼性の高い再閉路動作を行うことができる。また、遮断バネの状況を検出せず、投入バネのそれも蓄勢完了時点のみを検出すればよいため、構成を極めて簡略化できるという利点もある。なお、本発明は、運転開始などの特別な場合には動作不可能であるが、通常は、このような特別な場合に再閉路動作を行うことはないため、本発明の構成により、十分に実用的な再閉路準備回路を得ることができる。
　【００１１】
　【実施例】
　以下には、本発明によるガス遮断器用再閉路準備回路の一実施例を、図１乃至図３を参照して具体的に説明する。この場合、図１は、電動バネ操作機構を示す構成図、図２は、図１の電動バネ操作機構における投入バネの蓄勢完了前のカムの動作位置（Ａ）及びマイクロスイッチの接点の状態（Ｂ）を示す図、図３は、図１の電動バネ操作機構における投入バネの蓄勢完了後のカムの動作位置（Ａ）及びマイクロスイッチの接点の状態（Ｂ）を示す図である。
　【００１２】
　まず、図１において、１は、図示していない電動機に減速器を介して接続された回転軸である。回転軸１の中央には、偏心カム２が固着され、回転軸１と一体に回転するようになっている。この場合、回転軸１及び偏心カム２は、投入レバー３及び投入バネ４と共に、投入バネ蓄勢機構を形成している。すなわち、投入レバー３は、軸５の周囲に回動自在に取り付けられており、その一端にローラ３ａが設けられると共に、他端にピン６が設けられている。そして、投入レバー３は、ローラ３ａを介して偏心カム２に係合することにより、偏心カム２の回転に伴なって回動するようになっている。また、投入レバー３のピン６には、投入バネ４の一端が接続されており、投入レバー３の回動に伴なって、投入バネ４を蓄勢するようになっている。
　【００１３】
　回転軸１の一端には、カム７が固着されており、回転軸１と一体に回転するようになっている。このカム７は、主軸８の周囲に設けられた操作レバー９と係合して、操作レバー９を回動させる部材である。また、主軸８は、図示していない開閉器の接点部に接続されており、回動によって開閉器の開閉操作を行う部材である。さらに、操作レバー９は、主軸８の周囲に固着されており、主軸８と一体に回動するようになっている。この操作レバー９の一端にはローラ９ａが設けられ、操作レバー９の他端にはピン１０が設けられている。そして、操作レバー９は、ローラ９ａを介してカム７に係合することにより、カム７の回転に伴なって回動するようになっている。
　【００１４】
　一方、操作レバー９のピン１０には、リンク１１を介して、遮断レバー１２が接続されており、遮断レバー１２の他端に、遮断バネ１３の一端が接続されている。すなわち、回転軸１から、カム７、操作レバー９、リンク１１、及び遮断レバー１２を介して、遮断バネ１３に至る一連の部材により、遮断バネ蓄勢機構を形成している。すなわち、遮断レバー１２は、回動自在に設けられており、操作レバー９の回動に伴なってリンク１１を介して回動し、遮断バネ１３を蓄勢するようになっている。
　【００１５】
　回転軸１のカム７と反対側の端部には、スイッチ用カム１４が固着され、回転軸１と一体に回転するようになっており、従って、偏心カム２と同一の回転をするようになっている。このスイッチ用カム１４の近傍には、スイッチレバー１５及びマイクロスイッチ１６が設けられており、さらに、スイッチレバー１５の先端には、ローラ１５ａが設けられている。そして、スイッチ用カム１４は、ローラ１５ａに係合しており、偏心カム２による投入バネ４の蓄勢完了位置に対応する動作位置において、スイッチレバー１５の先端のローラ１５ａを押圧してスイッチレバー１５を回動させ、このスイッチレバー１５を介してマイクロスイッチ１６を押圧し、その接点を動作させるように構成されている。なお、以上の各構成要素は、一対のフレーム１７ａ，１７ｂの間に収納されている。また、マイクロスイッチ１６の接点１６ａは、図２の（Ｂ）に示すように、指令側の再閉路準備回路１８に接続されている。
　【００１６】
　次に、以上のような構成を有する本実施例の作用を説明する。まず、投入指令が発せられると、図示していないキャッチ部が外れ、これにより、投入バネ４の放勢力が、投入レバー３を介して偏心カム２に伝達される。この結果、偏心カム２及び回転軸１が図中反時計方向に回転する。この回転軸１の回転に伴ない、カム７と操作レバー９のローラ９ａとが係合し、操作レバー９及び主軸８が一体に回動することで、投入動作が完了する。同時に、操作レバー９の回動に伴ない、リンク１１を介して遮断レバー１２が回動し、遮断バネ１３が蓄勢され、遮断準備が完了する。
　【００１７】
　この遮断準備完了時点で、偏心カム２と一体に回転するスイッチ用カム１４は、図２の（Ａ）に示す状態となり、スイッチレバー１５のローラ１５ａとは係合しない動作位置にある。そして、この時点で、マイクロスイッチ１６の接点１６ａは、図２の（Ｂ）に示すように、ＯＦＦ状態にあり、再閉路の準備がまだ完了していないことを指令側に知らせる。
　【００１８】
　そして、前記のようにして、投入動作が完了すると、その直後に、図示していない電動機の回転により回転軸１がさらに図中反時計方向に回転する。これにより、偏心カム２が投入レバー３のローラ３ａを押し上げ、投入レバー３を回動させる形で回転し、上死点を越え、キャッチ部でロックされて停止する。同時に、投入レバー３の回動に伴ない、投入バネ４が蓄勢され、投入準備が完了する。
　【００１９】
　この投入準備完了時点で、偏心カム２と一体に回転するスイッチ用カム１４は、図３の（Ａ）に示す状態となり、スイッチレバー１５のローラ１５ａを押し上げ、スイッチレバー１５を回動させる形で回転し、マイクロスイッチ１６を押圧する。そして、この時点で、マイクロスイッチ１６の接点１６ａは、図３の（Ｂ）に示すように、ＯＮ状態となり、再閉路の準備が完了したことを、指令側に知らせる。
　【００２０】
　すなわち、この状態においては、前述のように、遮断バネ１３が蓄勢状態にあるため、遮断動作を直ちに行うことができる上、投入バネ４が蓄勢状態にあるため、遮断動作直後に投入動作（再閉路動作）を行うことができる。そして、この状態から、投入動作を行うと、そのエネルギーにより、前述のように、遮断バネ１３を蓄勢することができ、次の遮断動作の準備を完了することができる。
　【００２１】
　以上のように、本実施例は、投入バネ蓄勢機構の一部に相当する回転軸１に、投入バネ４の蓄勢用の偏心カム２と同期して回転するスイッチ用カム１４を設け、このスイッチ用カム１４の一定の動作位置、すなわち、投入バネ４の蓄勢完了に対応する動作位置を、スイッチレバー１５を介してマイクロスイッチ１６によって検出するものである。従って、再閉路の準備完了を確実に検出することができ、信頼性の高い再閉路動作を行うことができる。また、本発明を実施するための追加的要素は、スイッチ用カム１４、スイッチレバー１５、及びマイクロスイッチ１６のみであるため、構成的にも極めて簡略であり、実用性が高くなっている。
　【００２２】
　なお、本発明は、前記実施例に限定されるものではなく、例えば、前記実施例のマイクロスイッチ１６の接点１６ａをリレーで増幅する構成も可能である。また、投入バネの蓄勢中にマイクロスイッチを動作させ、タイマによって完了時点を決めて、リレー増幅する構成なども可能である。
　【００２３】
　【発明の効果】
　以上述べたように、本発明においては、投入バネの蓄勢完了をマイクロスイッチによって検出し、このマイクロスイッチの接点を、
指令側の再閉路準備回路の
指令側で再閉路準備が完了しているか否かを知ることができるため、
【図面の簡単な説明】
　【図１】
　本発明によるガス遮断器用再閉路準備回路の一実施例における電動バネ操作機構を示す構成図。
　【図２】
　図１の電動バネ操作機構における投入バネの蓄勢完了前のカムの動作位置（Ａ）及びマイクロスイッチの接点の状態（Ｂ）を示す図。
　【図３】
　図１の電動バネ操作機構における投入バネの蓄勢完了後のカムの動作位置（Ａ）及びマイクロスイッチの接点の状態（Ｂ）を示す図。
　【符号の説明】
　１…回転軸
　２…偏心カム
　３…投入レバー
　３ａ…ローラ
　４…投入バネ
　５…軸
　６…ピン
　７…カム
　８…主軸
　９…操作レバー
　９ａ…ローラ
　１０…ピン
　１１…リンク
　１２…遮断レバー
　１３…遮断バネ
　１４…スイッチ用カム
　１５…スイッチレバー
　１５ａ…ローラ
　１６…マイクロスイッチ
　１６ａ…接点
　１７ａ，１７ｂ…フレーム
　１８…再閉路準備回路